(57)【特許請求の範囲】
【請求項１】
一対のカップ部を有する女性用衣類であって、
前記カップ部は、
前記カップ部の乳房への装着時に乳頭を覆い、前記乳房を押圧する第１の造形領域と、
前記第１の造形領域より下側に位置しており、前記乳房を押圧する第２の造形領域と、
を有し、
前記第２の造形領域の体積は前記第１の造形領域の体積より大きく、
前記カップ部の表面側のトップは、表面側からみた場合に前記第１の造形領域内にあり、
前記第１及び第２の造形領域は、前記カップ部の肌側に隆起した肉厚部であり、
前記第１の造形領域の厚さは、前記第２の造形領域の厚さより薄い、
カップ部を有する女性用衣類。
【請求項２】
前記第１の造形領域と前記第２の造形領域との間に溝部が前記カップ部の肌側に形成されている、請求項１に記載のカップ部を有する女性用衣類。
【請求項３】
前記カップ部は、前記第１及び第２の造形領域の周囲に、前記第１の造形領域の厚さより薄い第３の領域を有する、請求項１又は２記載のカップ部を有する女性用衣類。
【請求項４】
前記第１の造形領域の中心部は、前記第２の造形領域の中心部より前中心側に位置し、
前記第２の造形領域の中心部と、前記第１の造形領域の中心部とを結ぶ線は、前記カップ部の上部に向けて前記前中心側に傾斜している、
請求項１〜３の何れか一項記載のカップ部を有する女性用衣類。
【発明の詳細な説明】
【技術分野】
【０００１】
本発明は、カップ部を有する女性用衣類に関するものである。
【背景技術】
【０００２】
ブラジャーに代表される一対のカップ部を有する女性用衣類において、近年では、カップ部にパッドを設け、例えば、乳房の下部(特に、脇側の下部）を押し上げることで、ブラジャーの前中心側上方に乳房を押し上げるものが知られている（例えば、特許文献１参照）。このようなパッドの利用により、前中心側上方に乳房を押し上げることで、ボリュームアップとともに胸の谷間の形成が図られてきた。
【先行技術文献】
【特許文献】
【０００３】
【特許文献１】特開２００５−１３９５７２号公報
【発明の概要】
【発明が解決しようとする課題】
【０００４】
しかしながら、ボリュームアップや胸の谷間の形成等にのみに関心が高められた結果、バストトップ位置の高さにあまり注意が払われていなかった。そのため、近年のカップ部を有する女性用衣類では、シルエット上のバストトップ位置が十分にあがっていなかった。【０００５】
そこで、本発明は、ボリュームアップを図ると共に、バストトップ位置を高く見せることが可能なカップ部を有する女性用衣類を提供することを目的とする。
【課題を解決するための手段】
【０００６】
本発明者らは、上記課題を解決するために鋭意研究を実施した。その結果、パッドを利用して単に乳房の下側を押し上げるだけでは、カップ部の上部側で、乳房体積の増大により乳房が前方にも隆起することから、バストトップ位置が下がっていることを見出して、本発明に至った。【０００７】
すなわち、本発明のカップ部を有する女性用衣類は、一対のカップ部を有する女性用衣類であって、カップ部は、カップ部の乳房への装着時に乳頭を覆い、乳房を押圧する第１の造形領域と、第１の造形領域より下側に位置しており、乳房を押圧する第２の造形領域と、を有し、第２の造形領域の体積は第１の造形領域の体積より大きく、カップ部の表面側のトップは、表面側からみた場合に第１の造形領域内にある。【０００８】
この構成では、カップ部の表面側のトップは、表面側からみた場合に第１の造形領域内にあり、第１の造形領域は、装着時に乳頭を覆う位置にある。そして、乳房において乳頭より下側を、第１の造形領域より体積の大きい第２の造形領域で圧するので、乳房が押し上げられる一方、第１の造形領域によって乳房を更に肌側に押さえることができる。そのため、第２の造形領域によって乳房を押し上げても、乳房の前方への隆起が抑制される。よって、ボリュームアップを図りながら、シルエット的にバストトップ位置を高く見せることが可能である。【０００９】
更に、本発明のカップ部を有する女性用衣類では、第１の造形領域と第２の造形領域との間に溝部がカップ部の肌側に形成されていることが好適である。【００１０】
このように溝部が形成されていると、本発明に係るカップ部を有する女性用衣類を着用した女性が動いた場合、乳頭は溝部のところに移動する傾向にある。この場合、第１及び第２の造形領域の谷間に乳頭が位置することになるので、乳頭の位置がより安定しやすい。この場合でもカップ部の表面側のトップは、表面側からみた場合に第１の造形領域内に位置していることから、見かけ上、トップ位置は高くなっている。【００１１】
また、本発明に係るカップ部を有する女性用衣類では、第１及び第２の造形領域は、カップ部の肌側に隆起した肉厚部であり、第１の造形領域の厚さは、第２の造形領域の厚さより薄い、とすることができる。【００１２】
この構成では、第２の造形領域の厚さの方が、第１の造形領域より厚いので、第２の造形領域の方が、第１の造形領域に対してより強く乳房を圧することができる。【００１３】
更に、本発明に係るカップ部を有する女性用衣類では、カップ部は、第１及び第２の造形領域の周囲に、第１の造形領域の厚さより薄い第３の領域を有する、としてもよい。この構成では、カップ部は厚さの異なる３つの領域を有することになる。
【発明の効果】
【００１４】
本発明によれば、ボリュームアップを図りながら、バストトップ位置を高く見せることが可能である。
【図面の簡単な説明】
【００１５】
【図１】本発明に係るカップ部を有する女性用衣類の一実施形態の正面図である。
【図２】図１のＩＩ−ＩＩ線に沿ったカップ部の断面図である。
【図３】本発明に係るカップ部を有する女性用衣類の他の実施形態の正面図である。
【図４】実施例１，実施例２及び比較例の比較結果を示す図面である。
【図５】（ａ）は、第１及び第２の造形領域の変形例を示す図面である。（ｂ）は、第１及び第２の造形領域の他の変形例を示す図面である。
【図６】（ａ）は、第１及び第２の造形領域の更に他の変形例を示す図面である。（ｂ）は、第１及び第２の造形領域の更に他の変形例を示す図面である。
【図７】（ａ）は、第１及び第２の造形領域の更に他の変形例を示す図面である。（ｂ）は、第１及び第２の造形領域の更に他の変形例を示す図面である。
【図８】（ａ）は、第１及び第２の造形領域の更に他の変形例を示す図面である。（ｂ）は、第１及び第２の造形領域の更に他の変形例を示す図面である。
【発明を実施するための形態】
【００１６】
以下、添付の図面を参照して本発明の実施形態を説明する。同一の要素には同一の符号を付し、重複する説明は省略する。本明細書において、上下、左右及び前後の方向は、カップ部を有する女性用衣類の着用者から見た方向である。更に、本明細書において、カップ部を有する女性用衣類の「装着時」とは、当該衣類を着けていない状態からその衣類を着けた時を意味する。
【００１７】
図１は、本発明に係るカップ部を有する女性用衣類の一実施形態を示す正面図である。図１に示した、カップ部を有する女性用衣類はいわゆるブラジャー１１である。
【００１８】
ブラジャー１１は、左右一対のカップ部１０，１０と、左右一対のバック布部２，２と、左右一対の肩ストラップ３，３と、土台部４とを含んで構成されている。
【００１９】
土台部４は、左右両カップ部１０，１０の下縁に縫着され、脇側端部がバック布部２，２に縫着されている。一対のバック布部２，２は、伸縮性の高い素材から構成されている。バック布部２において、土台部４側と反対側の端部にはそれぞれホック５，５が設けられ左右一対のバック布部２，２がホック５，５により着脱自在に係止される。一対の肩ストラップ３，３は、左右両カップ部１０の脇側上端部にそれぞれ縫着され、対応するバック布部２，２とカップ部１０，１０との間にそれぞれ掛け渡される。
【００２０】
左右一対のカップ部１０，１０の構成は前中心に対してほぼ対称である。そのため、一方のカップ部１０の構成について図１及び図２を参照して説明する。図２は、図１のＩＩ−ＩＩ線に沿ったカップ部の断面図である。図２では、説明のためにブラジャー１１の装着時の乳房２０を模式的に表している。
【００２１】
カップ部１０は、着用者の乳房２０（図２参照）を収容するものである。カップ部１０は、被覆布で被覆された芯材をカップ表布及びカップ裏打布で挟んで構成されている。芯材には、不織布、発泡ポリウレタンのような保形性、弾力性を有する素材を用いることができる。また、カップ表布及びカップ裏打布には、合成繊維や天然繊維の織布、編布等の素材を用いることができる。なお、図２では、カップ部１０の特徴を示すために、芯材やカップ表布及びカップ裏打布などを一体としてカップ部１０の断面構成を表している。
【００２２】
カップ部３０は、第１及び第２の造形領域１１ａ，１１ｂと、それらの周囲の領域であって、第１及び第２の造形領域１１ａ，１１ｂより薄い第３の領域１１ｃと、を有する。  第３の領域１１ｃは、第１の第２の造形領域１１ａ，１１ｂの周囲及びそれらの間において、乳房２０をカバーする領域である。
【００２３】
第１の造形領域１１ａの位置は、カップ部１０の乳房２０への装着時において乳頭２１（図２参照）を覆う位置である。第１の造形領域１１ａは、肌側に滑らかに隆起した肉厚部であり、第１の造形領域１１ａは乳房２０を押圧する。第１の造形領域１１ａを肌側からみた場合の第１の造形領域１１ａの形状の例は、図１において破線で示しているように略楕円形である。ただし、第１の造形領域１１ａの形状は、装着時に乳頭２１を覆う形状であれば特に限定されない。カップ部１０のトップ１２の位置は、第１の造形領域１１ａ内の表面側に位置する。トップ１２の位置は、第１の造形領域１１ａの最大厚さの部分の表面側の位置又はその近傍であればよい。
【００２４】
第２の造形領域１１ｂは、第１の造形領域１１ａに対してカップ部１０の下縁１３側に位置する。第２の造形領域１１ｂは、肌側に滑らかに隆起した肉厚部である。第２の造形領域１１ｂは、乳房２０を押圧して、乳房２０を押し上げる。第２の造形領域１１ｂを肌側からみた場合の第２の造形領域２０ａの形状の例は、図１に破線で示しているように略楕円形である。ただし、第２の造形領域２０ａの形状は、乳房２０を押し上げに寄与する形状であれば特に限定されない。第２の造形領域１１ｂにおける最も厚い部分の厚さｄ２は、第１の造形領域１１ａの最も厚い部分の厚さｄ１より大きい。
【００２５】
第１及び第２の造形領域１１ａ，１１ｂの体積をそれぞれＶ１及びＶ２とすると、第２の造形領域１１ｂの体積Ｖ２は、第１の造形領域１１ａの体積Ｖ１より大きい。具体的には、第１の造形領域１１ａに対する第２の造形領域１１ｂの体積比（Ｖ２／Ｖ１）は３以上であるとすることができる。カップ部１０において、第１及び第２の造形領域１１ａ，１１ｂの体積比は、厚さｄ１，ｄ２及び面積を、体積比（Ｖ２／Ｖ１）が所望の値になるように設定することで実現できる。体積比（Ｖ２／Ｖ１）は、カップ部１０の大きさに応じて適宜設定すればよいが、５未満であることが好ましい。このように第２の造形領域１１ｂの体積Ｖ２が、第１の造形領域１１ａの体積Ｖ１より大きいので、第２の造形領域１１ｂの方が乳房２０をより強い力で押すことになる。
【００２６】
第２の造形領域１１ｂは、第１の造形領域１１ａの位置より下側であればよいが、乳房２０の脇下下部を押圧するように、カップ部１０内で、前中心に対してバック布部２寄りに位置していること又はカップ部１０中で、バック布部２側に広がっていることが好ましい。これにより、乳房２０を前中心上方に押し上げ、バストのボリュームアップとともに、胸の谷間を形成できるからである。第２の造形領域１１ｂがバック布部２寄りに位置する場合には、第１の造形領域１１ａの中心部は第２の造形領域１１ｂの中心部より前中心側に位置し、第２の造形領域１１ｂの中心部と第１の造形領域１１ａの中心部とを結ぶ線は、カップ部１０の上部に向けて前中心側に傾斜することになる。
【００２７】
カップ部１０は、図２に示すように、第１及び第２の造形領域１１ａ，１１ｂの間に溝部１４を有する。溝部１４は、第１及び第２の造形領域１１ａ，１１ｂの形状に応じて形成されているが、例えば、左右方向に向けて延びている。また、溝部１４は、乳頭２１を収容できる程度の上下方向の幅を有していればよい。この溝部１４は、第１及び第２の造形領域１１ａ，１１ｂ間の谷部であり、溝部１４の位置のカップ部１０の厚さｄ３は、第１及び第２の造形領域１１ａ，１１ｂより薄い。
【００２８】
従って、本実施形態のカップ部１０の構成では、第２の造形領域１１ｂの中心部から第１の造形領域１１ａの中心部にかけて、最大厚さｄ２の肉厚部、厚さｄ３の薄肉部及び最大厚さｄ１の肉厚部が順に形成されていることになる。
【００２９】
第１及び第２の造形領域１１ａ，１１ｂは、第１及び第２の造形領域１１ａ，１１ｂに対応する第１及び第２の肉厚部を有するように芯材をモールド成型することで製作することが可能である。芯材のうち、上記第１及び第２の肉厚部以外の領域は、第１及び第２の造形領域１１ａ，１１ｂの周囲のより薄い第３の領域１１ｃを構成する。
【００３０】
上記カップ部１０の構成では、ブラジャー１１を着用者が装着すると、第２の造形領域１１ｂが乳頭２１より下側を押圧するので、乳房２０が押し上げられ、ボリュームアップが図られると共に、第１の造形領域１１ａによって、乳房２０が更に肌側に押さえられる。このように第１及び第２の造形領域１１ａ，１１ｂにより乳房２０を２箇所で押圧することの作用効果について、従来の技術と比較しながら具体的に説明する。
【００３１】
従来のブラジャーでも、第２の造形領域１１ｂに対応する押上げ部によって、乳房２０を押し上げていた。このような乳房２０の押し上げにより、バストのボリューム感を出していた。しかしながら、乳房２０が押し上げられると、カップ上部の乳房２０の体積が増大するため、押し上げられた乳房２０によって、カップ上部は、着用者から見て前方斜め下側に押される。その結果、シルエット上、バストトップが下がってきていた。これは、特に、着用者が座った場合等により顕著になる。座った際には、ブラジャーの背中側のテンションは保たれたままであるが、胸側のテンションが緩む傾向にあるからである。
【００３２】
これに対して、本実施形態のブラジャー１１では、第２の造形領域１１ｂによって、乳房２０の下側を押圧するので、乳房２０を押し上げることが可能である。特に、前述したように、第２の造形領域１１ｂが、乳房２０の脇側下部を押圧する場合には、乳房２０が前中心側上方に押し上げられる。そして、装着時に乳頭２１を覆う第１の造形領域１１ａによって乳房２０を更に押圧する。このように、第２の造形領域１１ｂで押し上げられた乳房２０を、装着時に乳頭２１を覆う位置で肌側に押圧するので、カップ部１０の表面側のトップ１２が下がることを抑制できる。従って、第２の造形領域１１ｂで乳房２０を押し上げてバストアップを図ったとしても、カップ部１０のトップ１２の高さ位置を維持することができる。そのため、シルエット上のバストトップ位置を従来より高くすることが可能である。このように、ブラジャー１１では、第２の造形領域１１ｂによる乳房２０の押し上げによる造形作用に対してバストトップ位置形成のための補助的な造形作用を有する。
【００３３】
また、ブラジャー１１では、第１及び第２の造形領域１１ａ，１１ｂの間に溝部１４があることから、着用者が、腕を上げたり、歩いたり、座ったりといった動作を行うと、乳頭２１は、図２の二点鎖線で示すように、溝部１４に移動する傾向にある。溝部１４内の乳頭２１は、第１及び第２の造形領域１１ａ，１１ｂによって上下方向において挟まれているので、より安定する。また、アウターを着用した際等のシルエット上のバストトップ位置は、カップ部１０の表面側のトップ１２の位置である。そして、カップ部１０のトップ１２は、第１の造形領域１１ａ内にあり、第１の造形領域１１ａが押圧作用を有するので、乳房２０を第２の造形領域１１ｂで押し上げてもトップ１２位置を装着時の位置に維持可能である。その結果、溝部１４に乳頭２１が移動したとしても、シルエット上のバストトップ位置を高い位置に維持できる。更に、溝部１４があることにより、カップ部１０が適度に曲がりやすいので、着用者がより動きやすい構成となっている。
【００３４】
本実施形態では、ブラジャー１１は成型タイプであるとして説明した。しかしながら、カップ部を有する女性用衣類としてのブラジャーは、成型タイプの代わりに、パテッドタイプであってもよい。
【００３５】
図３は、パテッドタイプのブラジャーの正面図である。図３に示したパテッドタイプのブラジャー１２では、パッドを内蔵したカップ部３０が、第１及び第２の造形領域１１ａ，１１ｂと同様の第１及び第２の造形領域３１ａ，３１ｂを有する。カップ部３０においても、第１及び第２の造形領域３１ａ，３１ｂの周囲は第１及び第２の造形領域３１ａ，３１ｂの厚さより薄い第３の領域１１ｃである。ブラジャー１２の場合、第１及び第２の造形領域３１ａ，３１ｂにそれぞれ対応する肉厚部を有するパッドを用いることで、第１及び第２の造形領域３１ａ，３１ｂが製造されている。また、肌側において、第１及び第２の造形領域３１ａ，３１ｂの間に溝部１４が形成されていることは、図１に示したブラジャー１１の場合と同様である。
【００３６】
カップ部３０が第１及び第２の造形領域３１ａ，３１ｂを有するので、ブラジャー１２は、ブラジャー１１が有する作用効果と同様の作用効果を奏する。
【００３７】
また、ブラジャー１２は、パテッドタイプであることから、カップ部３０は、図３に示したように、上カップ部３２Ａと下カップ部３２Ｂとを有することができる。上カップ部３２Ａと下カップ部３２Ｂとは、接ぎラインＬ１に沿って接ぎ合わされている。接ぎラインＬ１は、カップ部３０の表面において、第１の造形領域３１ａを通っており、カップ部３０の表面側のトップ３１は、接ぎラインＬ１上にある。
【００３８】
従来のパテッドタイプのブラジャーにおいても、カップ部は、上カップ部と下カップ部とを有し、上カップ部と下カップ部とが接ぎ合わせられている。そして、カップ部の表面上のトップは、接ぎ合わせライン上にあった。従って、単に、シルエット的なバストトップ位置を高く見せるためなら、下カップ部を大きくすることが考えられる。しかしながら、バストトップ位置を高く見せるために下カップ部を大きくすると、下カップ部の形状と乳房２０の形がマッチしない。そのため、カップ部内において乳頭２１の位置で、カップ部と乳房２０との間に隙間（浮き）が生じてしまい、乳房２０を安定的に保持できず、快適な着用感を得られない。従って、従来は、トップ位置を高くするために下カップ部を大きくすることができず、結果としてシルエット的なバストトップ位置を高くすることができないという問題点もあった。
【００３９】
これに対して、ブラジャー１２では、カップ部３０の表面において接ぎラインＬ１は第１の造形領域３１ａを横切っている。そのため、下カップ部３２Ｂを大きくしたとしても、装着時において乳頭２１を安定的にサポートできる。更に、仮に乳頭２１が、第１及び第２の造形領域３１ａ，３１ｂの間の溝部１４に移動しても、乳頭２１は第１及び第２の造形領域３１ａ，３１ｂで上下方向に挟まれるので安定しており、また、乳房２０において乳頭２１より上側部分も肌側に隆起した第１の造形領域３１ａで押圧されるので、隙間が生じない。その結果、ブラジャー１２では、図３の二点鎖線で示すように従来の接ぎラインＬ２に対して、より高い位置の接ぎラインＬ１を実現できる。そのため、ブラジャー１２では、シルエット的なバストトップを従来より高くみせることが更に可能である。
【実施例】
【００４０】
次に、実施例を参照して本発明に係るカップ部を有する女性用衣類の作用効果について具体的に説明する。実施例においても、カップ部を有する女性用衣類はブラジャーとする。ここでは、実施例１，２と共に比較例を実施した。【００４１】
実施例１では、図１及び図２を利用して説明した成型タイプのブラジャー１１を用意した。このブラジャー１１では、第１及び第２の造形領域１１ａ，１１ｂに対応する第１及び第２の肉厚部を有するように芯材をモールド成型することによって、第１及び第２の造形領域１１ａ，１１ｂ及びそれらの間の溝部１４を形成した。【００４２】
実施例２では、図３を利用して説明したパテッドタイプのブラジャー１２を用意した。このブラジャー１２では、パッドに第１及び第２の造形領域３１ａ，３１ｂにそれぞれ対応する肉厚部を形成することによって、第１及び第２の造形領域３１ａ，３１ｂ及びそれらの間の溝部１４を形成した。【００４３】
また、比較例として、第１の造形領域１１ａ（又は３１ａ）を有さない従来品を用意した。従来品は、出願人のブラジャーである「シャキッとブラ」（商品番号：ＢＳＢ４４２）である。【００４４】
（バストトップ位置の評価結果）
実施例１，２及び比較例をそれぞれ同じモニターに着用してもらい、着用状態で写真撮影して、着用状態でのカップ部１０，３０の表面側のトップ１２の位置を比較した。【００４５】
図４は、実施例１，２と比較例との比較結果を示す図面である。具体的には、図４の（ａ）及び（ｂ）は、実施例１のブラジャー１１及び実施例２のブラジャー１２を着用した場合の側面写真にモアレ画像を重畳した図面である。図４の（ｃ）及び（ｄ）は、比較例である従来品を着用した場合の側面写真にモアレ画像を重畳した図面である。【００４６】
図４中の実線Ｉ，ＩＩは、実施例１，２のブラジャー１１，１２の着用状態のカップ部の表面のトップ位置（バストトップ位置）を示している。また、図４中の実線ＩＩＩは、比較例の着用状態でのカップ部の表面のトップ位置（バストトップ位置）を示している。【００４７】
実施例１，２と比較例の比較より、実施例１，２のバストトップ位置の方が、比較例のものより高いバストトップ位置を実現できていることが分かる。【００４８】
以上、本発明の実施形態及び実施例について説明したが、本発明は上記実施形態及び実施例に限定されない。例えば、第１及び第２の造形領域１１ａ，１１ｂ，３１ａ，３１ｂの厚さはそれぞれの領域内で同じであってもよい。この場合には、更に、第１の造形領域１１ａと第２の造形領域１１ｂとの厚さが同じ又は第１の造形領域３１ａと第２の造形領域３１ｂとの厚さが同じであるとすることができる。また、第１及び第２の造形領域１１ａ，１１ｂ，３１ａ，３１ｂが肌側に滑らかに隆起した肉厚部である場合も第１の造形領域１１ａと第２の造形領域１１ｂとの最大厚さが同じ又は第１の造形領域３１ａと第２の造形領域３１ｂとの最大厚さが同じであるとすることができる。そして、例えば、第１及び第２の造形領域１１ａ，１１ｂの厚さが同じである場合には、第１及び第２の造形領域１１ａ，１１ｂの面積差により、体積比（Ｖ２／Ｖ１）が３以上となるようにすればよい。これは、第１及び第２の造形領域３１ａ，３１ｂの場合も同様である。体積比が異なることにより、第２の造形領域１１ｂ，３１ｂによって第１の造形領域１１ａ，３１ａより強い力で乳房を押圧することができる。上記実施形態では、第１及び第２の造形領域１１ａ，１１ｂは同じ素材で製造されているとしたが、異なる素材から製造されていてもよい。【００４９】
また、第１及び第２の造形領域１１ａ，１１ｂ，３１ａ，３１ｂの間に溝部１４が形成されているとして説明したが、溝部１４は形成されていなくてもよい。この場合であっても、第１の造形領域１１ａ，３１ａを有することによる作用効果によって、シルエット的なバストトップ位置を高くすることができるのは、前述したとおりである。【００５０】
前述したように、カップ部１０が有する第１の造形領域１１ａ及び第２の造形領域１１ｂの肌側（又は表面側）からみた形状は図１に示した形状に限定されず、第１の造形領域１１ａが装着時に乳頭２１を覆い、第２の造形領域１１ｂが第１の造形領域１１ａより下側に位置していれば、第１及び第２の造形領域１１ａ，１１ｂは、種々の形状とすることができる。【００５１】
図５〜図８は、カップ部１０の第１及び第２の造形領域１１ａ，１１ｂの変形例を示す図面であり、図５〜図８は、カップ部１０を表面側からみた場合の平面図である。ブラジャー１１が有する一対のカップ部１０，１０は前中心に対してほぼ対称であるため、図５〜図８には、一対のカップ部１０，１０の一方（着用者から見て左側のカップ部）のみを示している。図５〜図８では、カップ部及び第１及び第２の造形領域に対して、図１と同じ符号を付している。以下、図５〜図８を参照して、第１及び第２の造形領域１１ａ，１１ｂの変形例を主な相違点を中心に説明する。【００５２】
図５の（ａ）に示すように、第２の造形領域１１ｂは、図１に示した場合より、上下方向の幅が広いものとすることができる。また、図５の（ｂ）に示ように、第２の造形領域１１ｂは、第１の造形領域１１ａに向けて湾曲した弓状とすることもできる。【００５３】
更に、図６の（ａ）に示すように、第１及び第２の造形領域１１ａ，１１ｂは、略左右方向において、一端側が先細りした略三角形状とすることもできる。この際、三角形の底辺部は、図６の（ａ）に示すように、第１及び第２の造形領域１１ａ，１１ｂとで互いに反対側に配置することができる。すなわち、図６の（ａ）に示すように、第１の造形領域１１ａは、脇側（図中右側）から前中心側（図中左側）に向けて先細りしている一方、第２の造形領域１１ｂは、前中心側から脇側に向けて先細りしている。また、図６の（ｂ）では、第１の造形領域１１ａは、略楕円形状であるが、第２の造形領域１１ｂは、図６の（ａ）の場合と同様に、前中心側から脇側に向けて先細りした形状を呈している。ただし、図６の（ａ）に示した第２の造形領域１１ｂより、丸みを帯びた流線形状となっている。【００５４】
図６の（ａ）及（ｂ）に示したように、第１及び第２の造形領域１１ａ，１１ｂが略左右方向における一端側で先細りする形状の場合、その先細りする側の端部位置は、図７の（ａ）及び（ｂ）に示すように、図６の（ａ）及び（ｂ）に示した場合とは逆であってもよい。更に、図８の（ａ）に示すように、第２の造形領域１１ｂは、下縁１３側に向けて湾曲した弓状のものとすることもできる。また、図８の（ｂ）に示すように、第２の造形領域１１ｂは、複数の楕円状部又は円状部が連結された形状とすることもできる。【００５５】
ここでは、図１に示したカップ部１０の第１及び第２の造形領域１１ａ，１１ｂの形状の変形例について説明したが、図３に示したカップ部３０の場合も同様である。【００５６】
更に、実施形態及び実施例では、ブラジャー１１，１２は、ホック５，５を用いて背中側で掛け留めするタイプとして説明したが、いわゆるフロントホックタイプであってもよい。【００５７】
更にまた、これまでの説明では、カップ付き女性用依頼としてブラジャーを例示して説明した。しかしながら、本発明は、一対のカップ部を有する女性用衣類であればよく、例えば、ブラスリップ、ブラキャミソール、ボディスーツ、カップ付きテディのようにカップ部を備える衣類であれば適用可能である。
【符号の説明】
【００５８】
１１，１２…ブラジャー（カップ部を有する女性用衣類）、２…バック布部，３…肩ストラップ，４…土台部、５…ホック、１０，３０…カップ部、１１ａ，３１ａ…第１の造形領域，１１ｂ，３１ｂ…第２の造形領域、３２Ａ…上カップ部、３２Ｂ…下カップ部、１４…カップ部の表面側のトップ、１４…溝部、２０…乳房、２１…乳頭。
【図１】
0005565457.tif 000002
【図２】
0005565457.tif 000003
【図３】
0005565457.tif 000004
【図５】
0005565457.tif 000005
【図６】
0005565457.tif 000006
【図７】
0005565457.tif 000007
【図８】
0005565457.tif 000008
【図４】
0005565457.tif 000009